(57)【要約】【課題】  自分でウエストサイズの調整を容易に行うことが可能である上に、見た目にも優れたスカートやズボン等の衣類の提供。【解決手段】  身頃部（２）と、身頃部（２）上端に周設され、対向する両端部（５ａ）（５ｂ）を有するように切断分離して構成される腰帯部（３）と、腰帯部（３）内部に封入され、結合手段（７）によって長さ調整可能に両端を結合されるゴム帯（６）とを備え、腰帯部（３）の一方の端部（５ａ）には、ゴム帯（６）を覆い隠すとともに、他方の端部（５ｂ）に係止可能とする係止手段（１１）（１２）を有して、両端部（５ａ）（５ｂ）を係脱自在とするための係止片（１０）が接続され、身頃部（２）には、腰帯部（３）の両端部（５ａ）（５ｂ）下縁から下方にかけて、開閉部（１６ａ）（１６ｂ）が形成されて、開閉手段（１５）によって、開閉部（１６ａ）（１６ｂ）と腰帯部（３）の両端部（５ａ）（５ｂ）とが一体となって左右に分離可能とした。【選択図】図２
0003114956.tif 000002
【実用新案登録請求の範囲】
【請求項１】
ウエストサイズを調整可能なスカート又はズボン等の衣類であって、
身頃部と、
該身頃部上端に周設され、対向する両端部を有するように切断分離して構成される腰帯部と、
該腰帯部の内部に封入され、結合手段によって長さ調整可能に両端を結合されて、ウエスト周囲方向に弾性的に伸縮するゴム帯又はベルト芯付きゴム帯と、を備え、
該腰帯部の一方の端部には、該腰帯部の両端部から露出される該ゴム帯又はベルト芯付きゴム帯を覆い隠すとともに、該腰帯部の他方の端部に係止可能とする係止手段を有して、該腰帯部の両端部を係脱自在とするための係止片が接続され、
該身頃部には、該腰帯部の両端部下縁から下方にかけて、開閉手段を有する開閉部が形成されて、該開閉手段によって、該開閉部と該腰帯部の両端部とが一体となって左右に分離可能とされた衣類。
【請求項２】
該腰帯部の一方の端部に接続される該係止片を、該腰帯部の他方の端部に係止可能とする係止手段が、面ファスナーである請求項１に記載の衣類。
【請求項３】
ウエストサイズを調整可能なスカート又はズボン等の衣類であって、
身頃部と、
該身頃部上端に周設され、対向する両端部を有するように切断分離して構成される腰帯部と、
該腰帯部の内部に封入され、結合手段によって長さ調整可能に両端を結合されて、ウエスト周囲方向に弾性的に伸縮するゴム帯又はベルト芯付きゴム帯と、を備え、
該身頃部には、該腰帯部の両端部下縁から下方にかけて、開閉部が形成されるとともに、該腰帯部の両端部上縁から下縁、さらに該開閉部の下端にかけて開閉手段が設けられて、該開閉手段によって、該開閉部と該腰帯部の両端部とが一体となって左右に分離可能とされた衣類。
【請求項４】
該身頃部の上端を折り返して、該腰帯部が袋状に形成されてなる請求項１乃至３の何れかに記載の衣類。
【請求項５】
該開閉手段が、コンシールファスナーである請求項１乃至４の何れかに記載の衣類。
【考案の詳細な説明】
【技術分野】
【０００１】
本考案は、スカートやズボン等の衣類に関し、特に自分でウエストサイズを調整可能な衣類に関する。
【背景技術】
【０００２】
従来、スカートやズボン等の衣類のウエストサイズは、あらかじめ固定されたものが多く、体型が変化してウエストサイズが変わると、寸法直しを行う必要があった。しかし、寸法直しは非常に煩雑な作業であり、自分で容易にウエストサイズの調整を行うことができないという問題があった。
これに対して、ウエストフリーサイズ形スカートを提案したものとして、例えば特許文献１がある。
【０００３】
【特許文献１】実開昭６０−４９１０９号公報
【考案の開示】
【考案が解決しようとする課題】
【０００４】
しかしながら、上記特許文献１によれば、自分に最適なウエストサイズに調整することが容易ではなく、さらに紐やベルトが露呈するため、見た目が悪いという問題があった。また、ウエストの全周にゴムを入れたものも従来より存在するが、ヒップ部に必要な布の量を裁断の時点で多くとってウエスト部に集めるために、ウエスト周りが膨らんで不恰好であり、ギャザーが多いために、ファッション性に欠けるものであった。
【０００５】
そこで、本考案は上記問題に鑑みてなされたものであり、自分でウエストサイズの調整を容易に行うことが可能である上に、見た目にも優れたスカートやズボン等の衣類を提供することを目的とするものである。
【課題を解決するための手段】
【０００６】
上記の課題を解決するために、請求項１記載の衣類は、ウエストサイズを調整可能なスカート又はズボン等の衣類であって、
身頃部と、
該身頃部上端に周設され、対向する両端部を有するように切断分離して構成される腰帯部と、
該腰帯部の内部に封入され、結合手段によって長さ調整可能に両端を結合されて、ウエスト周囲方向に弾性的に伸縮するゴム帯又はベルト芯付きゴム帯と、を備え、
該腰帯部の一方の端部には、該腰帯部の両端部から露出される該ゴム帯又はベルト芯付きゴム帯を覆い隠すとともに、該腰帯部の他方の端部に係止可能とする係止手段を有して、該腰帯部の両端部を係脱自在とするための係止片が接続され、
該身頃部には、該腰帯部の両端部下縁から下方にかけて、開閉手段を有する開閉部が形成されて、該開閉手段によって、該開閉部と該腰帯部の両端部とが一体となって左右に分離可能とされた衣類。
【０００７】
また、請求項２記載の衣類は、請求項1に記載の構成において、
該腰帯部の一方の端部に接続される該係止片を、該腰帯部の他方の端部に係止可能とする係止手段が、面ファスナーであることを要旨とする。
【０００８】
また、請求項３記載の衣類は、ウエストサイズを調整可能なスカート又はズボン等の衣類であって、
身頃部と、
該身頃部上端に周設され、対向する両端部を有するように切断分離して構成される腰帯部と、
該腰帯部の内部に封入され、結合手段によって長さ調整可能に両端を結合されて、ウエスト周囲方向に弾性的に伸縮するゴム帯又はベルト芯付きゴム帯と、を備え、
該身頃部には、該腰帯部の両端部下縁から下方にかけて、開閉部が形成されるとともに、該腰帯部の両端部上縁から下縁、さらに該開閉部の下端にかけて開閉手段が設けられて、該開閉手段によって、該開閉部と該腰帯部の両端部とが一体となって左右に分離可能とされたことを要旨とする。
【０００９】
また、請求項４記載の衣類は、請求項１乃至３の何れかに記載の構成において、該身頃部の上端を折り返して、該腰帯部が袋状に形成されてなることを要旨とする。
【００１０】
また、請求項５記載の衣類は、請求項１乃至４の何れかに記載の構成において、該開閉手段が、コンシールファスナーであることを要旨とする。
【考案の効果】
【００１１】
本考案によれば、腰帯部を、対向する両端部を有するように切断分離して構成し、身頃部には、腰帯部の両端部下縁から下方にかけて、開閉手段を有する開閉部を形成して、開閉手段によって、開閉部と腰帯部の両端部とが一体となって左右に分離可能となるように構成したため、腰帯部の内部に封入されるゴム帯及びその結合手段を、腰帯部の両端部から簡単に露出させることができ、自分でウエストサイズの調整を容易に行うことが可能となる。
また、着衣時においては、腰帯部の両端部から露出されるゴム帯が、係止片によって覆い隠されるために、見た目にも優れている。
【考案を実施するための最良の形態】
【００１２】
本考案に係る衣類は、スカートやズボン、ショートパンツ等、体型の変化等によってウエストサイズを調整する必要が生じ得るあらゆる衣類を含む。
腰帯部の内部に封入するゴム帯は、両端を結合してウエスト周囲方向に弾性的に伸縮可能なものであれば、どのような形状や大きさであってもよく、本数も１本に限らず、２本以上としてもよい。ゴム帯の両端を結合する結合手段は、伸縮に伴って結合が解除されない程度に強固に結合可能なものとし、例えば、結び目によって結び合わせたり、ミシンや手縫い等によって縫い合わせる手段を用いる。本考案において「結合手段によって長さ調整可能に両端を結合されて」とは、ウエストサイズを小さく、又は大きくしたい場合に、結合を解除して、ゴム帯を所要の長さに調整し、再度結合可能とすることをいうものとする。将来のウエストサイズの拡大に対応するために、ゴム帯は、ある程度の長さ的余裕をもって両端を結合しておくことが好ましい。
また、ベルト芯（芯材）付きゴム帯を用いることとしてもよく、例えば、ベルト芯８０％、ゴム帯２０％の構成のものや、背面側をゴム帯、正面側をベルト芯によって構成したもの等を用いることができる。
【００１３】
係止片は、腰帯部の両端部から露出されるゴム帯を覆い隠すことができるものであれば、どのような形状や大きさであってもよい。係止片の係止手段としては、面ファスナー、ボタン、フック等を用いることができる。
腰帯部の両端部下縁から下方にかけては、開閉手段を有する開閉部を身頃部に形成するが、開閉手段としては、ファスナー、ボタン等を用いることができる。このファスナー等の開閉手段は、主に衣類の脱ぎ着の折に、腰帯部をウエストより太いヒップ部を容易に通過させるために設ける。また、このような開閉手段を設けることで、ヒップ部通過の際の伸縮を考慮してウエスト周りの布地を大きくとっておく必要がなくなるため、開閉手段を設けずにウエスト全周にゴムを入れたものと比べて、ウエストのギャザーを少なくすることが可能となる。
腰帯部の端部の位置、及びそれに連なる開閉部の位置は、衣類の正面、背面、側面等、特に限定せずに設けることが可能である。
【実施例１】
【００１４】
本考案の一実施形態を、図１〜図２を参照しながら説明する。本実施例は、図１に示すように、綿又はウール、合成繊維等からなる前身頃（２ａ）と後身頃（２ｂ）とを縫合して筒状に形成される身頃部（２）と、身頃部（２）上端に周設される細長の腰帯部（３）とから構成されるスカート（１）に関するものである。
【００１５】
腰帯部（３）は、図２に示すように、後身頃（２ｂ）の上端において、対向する両端部（５ａ）（５ｂ）を有するように切断分離して構成されるとともに、ウエスト周囲方向に弾性的に伸縮するゴム帯（６）を内部に封入可能に袋状に構成されている。ゴム帯（６）は、図２に示すように、適宜の長さで、結合手段（７）である結び目によって両端を結合されて輪状に形成されており、本実施例では、上下二段に配設されている。そして、腰帯部（３）の高さ方向略中間の位置において、腰帯部（３）が表裏縫合されて、上下のゴム帯（６）がそれぞれ所定の場所に摺動可能に保持されるようになされている。なお、ゴム帯（６）の結び目は、取り出し容易な程度に、腰帯部（３）の内部に入れ込んでおくことが好ましい。
【００１６】
図２に示すように、腰帯部（３）の端部（５ａ）近傍表面には、係止片（１０）が一端を接続して設けられており、係止片（１０）裏面に縫着形成される面ファスナー雌部（１１）と、端部（５ｂ）近傍表面に縫着形成される面ファスナー雄部（１２）とによって、腰帯部（３）の両端部（５ａ）（５ｂ）が係脱自在に構成されている。
【００１７】
後身頃（２ｂ）には、図２に示すように、腰帯部（３）の両端部（５ａ）（５ｂ）下縁から約１５〜２０ｃｍ下方にかけて、開閉手段（１５）であるファスナーによって接離自在とされる開閉部（１６ａ）（１６ｂ）が形成されている。ファスナーは、図２に示すように、開閉部（１６ａ）（１６ｂ）縁端に沿って設けられる左右一対の噛み合い部（２０ａ）（２０ｂ）、噛み合い部（２０ａ）（２０ｂ）を上下に移動するスライダー胴体（２１）、スライダー胴体（２１）を操作するためのスライダー引手（２２）からなり、噛み合い部（２０ａ）（２０ｂ）の上端（２３ａ）（２３ｂ）が、それぞれ腰帯部（３）の端部（５ａ）（５ｂ）の丁度下縁にくるようになされている。これによって、開閉部（１６ａ）（１６ｂ）が、腰帯部（３）の両端部（５ａ）（５ｂ）と一体となって、略Ｖ字形をなして左右に分離可能に構成されている。
なお、ファスナーとしてコンシールファスナーを用いることとすれば、開閉部（１６ａ）（１６ｂ）が閉じたときに、噛み合い部（２０ａ）（２０ｂ）が表から見えないために外観上好ましい。また、スライダー胴体（２１）やスライダー引手（２２）、両者を繋ぐ丸環を目立たないように極力小さく構成すれば一層好ましい。
【００１８】
上記のように構成したスカート（１）の使用にあたっては、係止片（１０）の係脱とともに、開閉手段（１５）を上下動させることによって、着脱衣を行う。
そして、ウエストサイズを小さく、又は大きくしたい場合には、ファスナーのスライダー胴体（２１）を下端（２４）まで移動させて開閉部（１６ａ）（１６ｂ）を全開し、腰帯部（３）の内部に封入されるゴム帯（６）の結合手段（７）を、腰帯部（３）の両端部（５ａ）（５ｂ）から露出させて、その結合を解き、所要の長さとなるように調整して再度ゴム帯（６）の両端を結び合わせて結合する。あるいは、別の適宜の長さを有するゴム帯と入れ替えることとしてもよい。
【００１９】
本実施例に係るスカートによれば、自分で容易にウエストサイズを調整することができる。また、開閉手段（１５）であるファスナーによって、スカート（１）の着脱衣を容易に行えるようになるだけでなく、ゴム帯（６）の結び目を簡単に露出させて、容易にゴム帯（６）長さを調整することが可能となる。
そして、スカート（１）着用時には、図１に示すように、腰帯部（３）の両端部（５ａ）（５ｂ）から露出されるゴム帯（６）が、係止片（１０）によって覆い隠され、さらに開閉手段（１５）であるファスナーを設けたことによってギャザーを少なくできるために、見た目が非常に良い。
また、係止片（１０）の係止手段として面ファスナー（１１）（１２）を用いているため、一定量のウエスト変化であれば、ゴム帯（６）の長さを調整することなく対応できる。
【実施例２】
【００２０】
本考案の他の実施形態を、図３〜図４を参照しながら説明する。本実施例も、図３に示すように、前身頃（２ａ）と後身頃（２ｂ）とを縫合して筒状に形成される身頃部（２）と、身頃部上端に周設される腰帯部（３）とから構成されるスカート（１）に関するものであるが、本実施例では、図４に示すように、腰帯部（３）の内部に、平たい形状のゴム帯（６’）１本が封入されて構成されるものである。
ゴム帯（６’）は、図４に示すように、両端を結合されて輪状に形成されるが、本実施例では結合手段（７’）としてミシンによる縫合を行っている。
【００２１】
図４に示すように、腰帯部（３）の端部（５ａ）近傍表面に設けられる係止片（１０）には、ボタン穴（３０）が形成されるとともに、端部（５ｂ）近傍表面の適宜の位置には、ボタン（３１）が縫着されており、ボタン（３１）をボタン穴（３０）に嵌め外しすることによって、腰帯部（３）の端部（５ａ）（５ｂ）が係脱自在に構成されているものである。
【００２２】
本実施例では、図３に示すように、前身頃（２ａ）と後身頃（２ｂ）とが斜めに接合して、身頃部（２）が形成されているが、その接合線上に、開閉手段（１５）であるファスナーを備えた開閉部（１６ａ）（１６ｂ）が位置するようになされている。
【００２３】
本実施例に係るスカート（１）のウエストサイズを変更したい場合には、腰帯部（３）の内部に封入されるゴム帯（６’）の結合手段（７’）を露出させて、その結合を解き、所要の長さとなるように調整して再度ゴム帯（６’）の両端をミシンを用いて結合等すればよい。
【００２４】
本実施例に係るスカート（１）のように、１本の平たいゴム帯（６’）をミシンによって縫合して両端を結合し、係止片（１０）の係止手段（７’）として、ボタン穴（３０）とボタン（３１）を用いたものであっても、自分で容易にウエストサイズを調整することが可能である。
また、衣類のデザインに応じて、開閉部（１６ａ）（１６ｂ）を斜め等に配設する必要がある場合であっても、本考案を用いることができる。
【実施例３】
【００２５】
本実施例は、前実施例の変形例に係るものであり、図５に示すように、前身頃（２ａ）と後身頃（２ｂ）とを縫合してなる身頃部（２）と、前身頃（２ａ）、後身頃（２ｂ）の
上端をそれぞれ折り返して袋状に形成された腰帯部（３）とから構成されるものである。
【００２６】
本実施例では、前実施例と異なり、腰帯部（３）の両端部（５ａ）（５ｂ）に、係止片やボタンは設けられておらず、開閉部（１６ａ）（１６ｂ）縁部に沿って設けられる左右一対の噛み合い部（２０ａ）（２０ｂ）が腰帯部（３）の両端部（５ａ）（５ｂ）上縁にまで延長され、噛み合い部（２０ａ）（２０ｂ）の上端（２３ａ）（２３ｂ）が、それぞれ腰帯部（３）の端部（５ａ）（５ｂ）の丁度上縁に位置するようになされている。ファスナーにはコンシールファスナーを用いている。
これによって、開閉部（１６ａ）（１６ｂ）と腰帯部（３）の両端部（５ａ）（５ｂ）とが一体となって、略Ｖ字形をなして左右に分離可能に構成されている。
なお、腰帯部（３）の両端部（５ａ）（５ｂ）上縁で止まるコンシールファスナーの横布は縫製しにくいため、ファスナー止りで切断する。切離されたファスナー側には、ほつれ止めが必要となるため、接着布等を用いてほつれないように止めておく。
【００２７】
本実施例に係るスカートであっても、自分で容易にウエストサイズを調整することができる。また、ファスナーを閉じれば、ゴム帯（６’）が隠れるため、外見上も優れている。
【実施例４】
【００２８】
本実施例では、その他の実施形態を示す。本実施例は図６に示すように、ズボン（１ａ）に関するものであり、身頃部（２）と、途中で切断分離されることなく身頃部（２）上端に周設される腰帯部（３）とから構成している。腰帯部（３）は、身頃部（２）の上端が折り返されて袋状に形成されており、腰帯部（３）の内部には、図４や図５で示したのと同様に、両端を結合手段（７’）によって結合されたゴム帯（６’）が封入されている。
そして、本実施例では、腰帯部（３）の内周の適宜の位置に、ゴム帯引き出し用開口（３５）が設けられている。本実施例に係るズボン（１ａ）は、腰帯部（３）が端部を有することなく一連に形成され、また身頃部（２）に開閉部や開閉手段が設けられておらず、ゴム帯（６’）の腰帯部（３）への封入や、長さ調整等のためのゴム帯（６’）の取り出しは、上記開口（３５）を介して行うようになされている。
本実施例に係るズボン（１ａ）であっても、ゴム帯引き出し用開口（３５）から、ゴム帯（６’）の結合手段（７’）を露出させて、その結合を解き、所要の長さとなるように調整して再度ゴム帯（６’）の両端を結合等することによって、自分で容易にウエストサイズを調整することが可能である。
本実施例に係るズボン（１ａ）が有するウエストサイズの調整機構は、ウエストの定まらない子供用のズボンやスカートに特に適している。
【産業上の利用可能性】
【００２９】
本考案によれば、自分でウエストサイズの調整を容易に行うことが可能であり、立ったり座ったりのウエストの変化に気を使う必要がない。また、スナップやフック等を設ける必要も無く、男女を問わず大人から子供まで幅広く使用でき、見た目にも優れており、産業上の利用可能性を有する。
【図面の簡単な説明】
【００３０】
【図１】第１の実施例に係るスカートの背面図である。
【図２】第１の実施例に係るスカートの部分拡大図である。
【図３】第２の実施例に係るスカートの側面図である。
【図４】第２の実施例に係るスカートの部分拡大図である。
【図５】第３の実施例に係るスカートの部分拡大図である。
【図６】第４の実施例に係るズボンの正面図である。
【符合の説明】
【００３１】
１  スカート
１ａ  ズボン
２  身頃部
２ａ  前身頃
２ｂ  後身頃
３  腰帯部
５ａ、５ｂ  端部
６、６’  ゴム帯
７、７’  結合手段
１０  係止片
１１  面ファスナー雌部
１２  面ファスナー雄部
１５  開閉手段
１６ａ、１６ｂ  開閉部
２０ａ、２０ｂ  噛み合い部
２１  スライダー胴体
２２  スライダー引手
２３ａ、２３ｂ  上端
２４  下端
３０  ボタン穴
３１  ボタン
３５  ゴム帯引き出し用開口
【図１】
0003114956.tif 000003
【図２】
0003114956.tif 000004
【図３】
0003114956.tif 000005
【図４】
0003114956.tif 000006
【図５】
0003114956.tif 000007
【図６】
0003114956.tif 000008